(57)【要約】【課題】  本発明は、撮像素子で被写体光を捉えて画像信号を生成する撮影装置等に関し、沈胴時に撮影レンズのうちの一部を好適な位置に退避させることにより有効な薄型化を図る。【解決手段】  光軸方向前方から順に並ぶ、前群レンズ、後群レンズ、およびフォーカスレンズの３群のうちの後群レンズ１１２を、光軸上の位置と、ＣＣＤ撮像素子１２０の脇の窪み部分１０４に入り込んだ退避位置との間で旋回させ、沈胴時には後群レンズ１１２を窪み部分１０４に入り込ませる。【選択図】      図１２
2005115316.tif 000002
【特許請求の範囲】
【請求項１】
被写体光を捉えて画像信号を生成する撮影装置において、
光軸方向前方から順に、第１のレンズ群、第２のレンズ群、および第３のレンズ群の３群からなる焦点距離可変な撮影レンズを収容し、繰出し、沈胴が自在であって繰出時に焦点距離調節を行なうレンズ鏡胴を備え、
前記レンズ鏡胴が、
繰出し、沈胴に伴って回転する筒と、
前記第２のレンズ群を保持し該第２のレンズ群を保持したまま該第２のレンズ群を、前記撮影レンズ光軸上の進出位置と該撮影レンズ光軸から外れた退避位置との間で移動させるとともに、該第２のレンズ群を前記進出位置に進出させる向きに付勢された第２のレンズ群保持枠とを備え、
前記第２のレンズ群保持枠は、沈胴時の前記筒の回転から動力を受けて前記第２のレンズ群を前記退避位置に退避させるものであることを特徴とする撮影装置。
【請求項２】
繰出し、沈胴に伴って光軸方向に移動し前記第２のレンズ群の光軸方向に関する位置を定める第２のレンズ群ガイド枠を備え、
前記第２のレンズ群保持枠は、前記第２のレンズ群ガイド枠に軸支されたものであって、
前記筒が、沈胴時の回動により前記第２のレンズ群ガイド枠の旋回に作用を及ぼす旋回作用部を有すると共に、
前記第２のレンズ群保持枠が、沈胴時に前記旋回作用部の作用を受けて前記第２のレンズ群を前記退避位置に旋回させる作用受け部を有するものであることを特徴とする請求項１記載の撮影装置。
【請求項３】
前記第２のレンズ群保持枠が、繰出し時には、前記旋回作用部の作用から解放されることにより前記第２のレンズ群を前記撮影レンズ光軸上に進出させるものであることを特徴とする請求項２記載の撮影装置。
【請求項４】
前記旋回作用部は、前記筒の前記光軸方向後端に設けられた突起であり、
前記作用受け部は、沈胴時に、回動する該突起の側面で押されることにより前記第２のレンズ群を前記撮影レンズ光軸上から旋回して前記退避位置に退避させるものであることを特徴とする請求項２記載の撮影装置。
【請求項５】
前記撮影レンズの光軸方向に前記第２のレンズ群と一体的に移動して該撮影レンズを通過する被写体の光量を制御する光量制御部材を備え、該光量制御部材は、該第２レンズ群と一体的に、繰出時には前記撮影レンズ光軸上に進出するとともに沈胴時には前記退避位置に退避するものであることを特徴とする請求項１記載の撮影装置。
【請求項６】
被写体光を捉えて画像信号を生成する撮影装置において、
光軸方向前方から順に、第１のレンズ群、第２のレンズ群、および第３のレンズ群の３群からなる焦点距離可変な撮影レンズを収容し、繰出し、沈胴が自在であって繰出時に焦点距離調節を行なうレンズ鏡胴を備え、
前記レンズ鏡胴が、
前記第２のレンズ群を保持し該第２のレンズ群を保持したまま該第２のレンズ群を、前記撮影レンズ光軸上の進出位置と該撮影レンズ光軸から外れた退避位置との間で移動させる第２のレンズ群保持枠と、
前記第２のレンズ群保持枠を移動させることにより、前記第２のレンズ群を、繰出時には前記撮影レンズ光軸上に進出させるとともに、沈胴時には前記退避位置に退避させる駆動源とを備えたことを特徴とする撮影装置。
【請求項７】
繰出し、沈胴に伴って光軸方向に移動し前記第２のレンズ群の光軸方向に関する位置を定める第２のレンズ群ガイド枠を備え、
前記第２のレンズ群保持枠は、前記第２のレンズ群ガイド枠に軸支されたものであることを特徴とする請求項６記載の撮影装置。
【請求項８】
前記撮影レンズの光軸方向に前記第２のレンズ群と一体的に移動して該撮影レンズを通過する被写体の光量を制御する光量制御部材を備え、該光量制御部材は、該第２レンズ群と一体的に、繰出時には前記撮影レンズ光軸上に進出するとともに沈胴時には前記退避位置に退避するものであることを特徴とする請求項６記載の撮影装置。
【請求項９】
光軸方向前方から順に、第１のレンズ群、第２のレンズ群、および第３のレンズ群の３群からなる焦点距離可変な撮影レンズを収容し、繰出し、沈胴が自在であって繰出時に焦点距離調節を行なうレンズ鏡胴において、
繰出し、沈胴に伴って回転する筒と、
前記第２のレンズ群を保持し該第２のレンズ群を保持したまま該第２のレンズ群を、前記撮影レンズ光軸上の進出位置と該撮影レンズ光軸から外れた退避位置との間で移動させるとともに、該第２のレンズ群を前記進出位置に進出させる向きに付勢された第２のレンズ群保持枠とを備え、
前記第２のレンズ群保持枠は、沈胴時の前記筒の回転から動力を受けて前記第２のレンズ群を前記退避位置に退避させる筒とを備えたことを特徴とするレンズ鏡胴。
【請求項１０】
繰出し、沈胴に伴って光軸方向に移動し前記第２のレンズ群の光軸方向に関する位置を定める第２のレンズ群ガイド枠を備え、
前記第２のレンズ群保持枠は、前記第２のレンズ群ガイド枠に軸支されたものであって、
前記筒が、沈胴時の回動により前記第２のレンズ群ガイド枠の旋回に作用を及ぼす旋回作用部を有すると共に、
前記第２のレンズ群保持枠が、沈胴時に前記旋回作用部の作用を受けて前記第２のレンズ群を前記退避位置に旋回させる作用受け部を有するものであることを特徴とする請求項９記載のレンズ鏡胴。
【請求項１１】
前記第２のレンズ群保持枠が、繰出し時には、前記旋回作用部の作用から解放されることにより前記第２のレンズ群を前記撮影レンズ光軸上に進出させるものであることを特徴とする請求項１０記載のレンズ鏡胴。
【請求項１２】
前記旋回作用部は、前記筒の前記光軸方向後端に設けられた突起であり、
前記作用受け部は、沈胴時に、回動する該突起の側面で押されることにより前記第２のレンズ群を前記撮影レンズ光軸上から旋回して前記退避位置に退避させるものであることを特徴とする請求項１０記載のレンズ鏡胴。
【請求項１３】
前記撮影レンズの光軸方向に前記第２のレンズ群と一体的に移動して該撮影レンズを通過する被写体の光量を制御する光量制御部材を備え、該光量制御部材は、該第２レンズ群と一体的に、繰出時には前記撮影レンズ光軸上に進出するとともに沈胴時には前記退避位置に退避するものであることを特徴とする請求項９記載のレンズ鏡胴。
【請求項１４】
光軸方向前方から順に、第１のレンズ群、第２のレンズ群、および第３のレンズ群の３群からなる焦点距離可変な撮影レンズを収容し、繰出し、沈胴が自在であって繰出時に焦点距離調節を行なうレンズ鏡胴において、
前記第２のレンズ群を保持し該第２のレンズ群を保持したまま該第２のレンズ群を、前記撮影レンズ光軸上の進出位置と該撮影レンズ光軸から外れた退避位置との間で移動させる第２のレンズ群保持枠と、
前記第２のレンズ群保持枠を移動させることにより、前記第２のレンズ群を、繰出時には前記撮影レンズ光軸上に進出させるとともに、沈胴時には前記退避位置に退避させる駆動源とを備えたことを特徴とするレンズ鏡胴。
【請求項１５】
繰出し、沈胴に伴って光軸方向に移動し前記第２のレンズ群の光軸方向に関する位置を定める第２のレンズ群ガイド枠を備え、
前記第２のレンズ群保持枠は、前記第２のレンズ群ガイド枠に軸支されたものであることを特徴とする請求項１４記載のレンズ鏡胴。
【請求項１６】
前記撮影レンズの光軸方向に前記第２のレンズ群と一体的に移動して該撮影レンズを通過する被写体の光量を制御する光量制御部材を備え、該光量制御部材は、該第２レンズ群と一体的に、繰出時には前記撮影レンズ光軸上に進出するとともに沈胴時には前記退避位置に退避するものであることを特徴とする請求項１４記載のレンズ鏡胴。
【発明の詳細な説明】
【技術分野】
【０００１】
本発明は、撮像素子で被写体光を捉えて画像信号を生成する撮影装置、および複数のレンズ群からなる撮影レンズを収容したレンズ鏡胴に関する。
【背景技術】
【０００２】
近年、従前の銀塩フィルム上に写真撮影を行なうタイプのカメラに加え、ＣＣＤ撮像素子あるいはＣＭＯＳ撮像素子等の撮像素子を備えその撮像素子上に被写体を結像して画像信号を生成するタイプのデジタルカメラが急速に普及してきている。
【０００３】
このデジタルカメラにおいても、撮影性能とともに携帯性が強く求められており、焦点距離可変とし所望の画角の撮影が可能であるとともに携帯に便利なように撮影レンズを沈胴させて薄型のボディ内に収納することが行なわれている。
【０００４】
焦点距離可変の撮影レンズの構成としては、光軸方向前方から順に、前群レンズ、後群レンズ、およびフォーカスレンズの３群で構成され、焦点距離可変であるとともにフォーカスレンズの移動によりピント調節を行なうタイプの撮影レンズが広く採用されている。さらに通常は、前群レンズと後群レンズとの間、あるいは後群レンズとフォーカスレンズとの間にシャッタあるいは絞り等の光量制御用の部材が備えられている。
【０００５】
従来これらのレンズやシャッタ等の間隔をできるだけ狭めるように沈胴することにより薄型化が図られているが、これでは薄型化に限界がある。
【０００６】
さらなる薄型化を実現するために、撮影レンズのうちのいずれかの群を光軸上から外すように退避させて沈胴すること自体については考えられているが、どの群をどこに退避させると更なる薄型化を実現することが可能であるか、あるいは、どのような進退機構を備えると、簡単な機構で沈胴時に所要の位置に退避させ、繰出し時には光軸上に正しく進出させることができるか、という点については今のところ提案は見あたらない。
【０００７】
従来、焦点距離を変更するために後群レンズを光軸上に配置して望遠とし、その後群レンズを光軸から外すことにより広角とすることが知られているが（特許文献１参照）、この提案は、焦点距離を変更するためだけのものであり、カメラの薄型化には何ら寄与していない。
【０００８】
また、後述する本発明に関連する技術として、液晶を用いた液晶シャッタ（特許文献２，３参照）や偏光板を用いたＰＬＺＴシャッタ（特許文献４参照）等、電気光学素子を用いたシャッタが知られている。
【特許文献１】特開平５−３４７６９号公報
【特許文献２】特開平９−１６３２４０号公報
【特許文献３】特開２００１−６１１６５号公報
【特許文献４】特開平８−３０４８７５号公報
【発明の開示】
【発明が解決しようとする課題】
【０００９】
本発明は、上記事情に鑑み、薄型化に有効な構成のレンズ鏡胴、および、そのようなレンズ鏡胴を備えた撮影装置を提供することを目的とする。
【課題を解決するための手段】
【００１０】
上記目的を達成する本発明の撮影装置のうちの第１の撮影装置は、被写体光を捉えて画像信号を生成する撮影装置において、光軸方向前方から順に、第１のレンズ群、第２のレンズ群、および第３のレンズ群の３群からなる焦点距離可変な撮影レンズを収容し、繰出し、沈胴が自在であって繰出時に焦点距離調節を行なうレンズ鏡胴を備え、
レンズ鏡胴が、
繰出し、沈胴に伴って回転する筒と、
上記第２のレンズ群を保持しその第２のレンズ群を保持したままその第２のレンズ群を、撮影レンズ光軸上の進出位置とその撮影レンズ光軸から外れた退避位置との間で移動させるとともに、その第２のレンズ群を進出位置に進出させる向きに付勢された第２のレンズ群保持枠とを備え、
その第２のレンズ群保持枠は、沈胴時の上記筒の回転から動力を受けて第２のレンズ群を退避位置に退避させるものであることを特徴とする。
【００１１】
焦点距離可変な撮影レンズの場合、あるいは繰出し、沈胴自在な撮影レンズの場合は、通常、その撮影レンズを保持するレンズ鏡胴には回動する筒が設けられる。本発明の第１の撮影装置は、この回動する筒を動力源として沈胴時に第２レンズ群を退避させるものであり、このようにレンズ鏡胴に本来備えられている部材を動力源とすることで簡単な機構で第２レンズ群を退避させることができる。
【００１２】
ここで、上記第１の撮影装置において、繰出し、沈胴に伴って光軸方向に移動し第２のレンズ群の光軸方向に関する位置を定める第２のレンズ群ガイド枠を備え、上記第２のレンズ群保持枠は、第２のレンズ群ガイド枠に軸支されたものであって、
上記筒が、沈胴時の回動により第２のレンズ群ガイド枠に接して第２のレンズ群保持枠の旋回に作用を及ぼす旋回作用部を有すると共に、
上記第２のレンズ群保持枠が、沈胴時に旋回作用部の作用を受けて第２のレンズ群を退避位置に旋回させる作用受け部を有するものであることが好ましい。
【００１３】
第２のレンズ群を光軸方向に移動させるだけの従来のカメラの場合は、第２のレンズ群の光軸方向の位置を定めるレンズ枠を備えてそのレンズ枠を光軸方向に移動させているが、ここでは、このレンズ枠が上記の第２のレンズ群ガイド枠と第２のレンズ群保持枠とに分けられて第２のレンズ群保持枠が第２のレンズ群ガイド枠に対し回動自在に軸支され、これにより、その第２のレンズ群保持枠に保持された第２のレンズ群が旋回するように構成されている。こうすることにより、簡単な機構で第２のレンズ群を沈胴時には上記の窪み部分に退避させ、および繰出し時には光軸上に正確に進出させることができる。
【００１４】
ここで、上記第２のレンズ群保持枠が、繰出し時には、上記旋回作用部の押圧から解放されることにより上記第２のレンズ群を上記撮影レンズ光軸上に進出させるものであることが好ましい。
【００１５】
また、上記旋回作用部は、上記筒の上記光軸方向後端に設けられた突起であり、上記作用受け部は、沈胴時に、回動する該突起の側面で押されることにより上記第２のレンズ群を上記撮影レンズ光軸上から旋回して上記退避位置に退避させるものであってもよい。
【００１６】
また、上記第１の撮影装置において、撮影レンズの光軸方向に第２のレンズ群と一体的に移動してその撮影レンズを通過する被写体の光量を制御する光量制御部材を備え、その光量制御部材は、第２レンズ群と一体的に、繰出時には撮影レンズ光軸上に進出するとともに沈胴時には退避位置に退避するものであってもよい。
【００１７】
また、上記目的を達成する本発明の撮影装置のうちの第２の撮影装置は、被写体光を捉えて画像信号を生成する撮影装置において、光軸方向前方から順に、第１のレンズ群、第２のレンズ群、および第３のレンズ群の３群からなる焦点距離可変な撮影レンズを収容し、繰出し、沈胴が自在であって繰出時に焦点距離調節を行なうレンズ鏡胴を備え、
そのレンズ鏡胴が、
第２のレンズ群を保持しその第２のレンズ群を保持したままその第２のレンズ群を、撮影レンズ光軸上の進出位置と撮影レンズ光軸から外れた退避位置との間で移動させる第２のレンズ群保持枠と、
上記第２のレンズ群保持枠を移動させることにより、第２のレンズ群を、繰出時には撮影レンズ光軸上に進出させるとともに、沈胴時には退避位置に退避させる駆動源とを備えたことを特徴とする。
【００１８】
本発明の第２の撮影装置は、第２のレンズ群を保持する第２のレンズ群保持枠を移動させる駆動源を設けたものであり、このように専用の駆動源を備えるとレンズ鏡胴を構成する他の部材との複雑な係合関係が不要となり、シンプルな構成とすることができる。
【００１９】
また、上記第２の撮影装置において、繰出し、沈胴に伴って光軸方向に移動し第２のレンズ群の光軸方向に関する位置を定める第２のレンズ群ガイド枠を備え、上記第２のレンズ群保持枠は、第２のレンズ群ガイド枠に軸支されたものであることが好ましい。
【００２０】
また、上記第２の撮影装置においても、撮影レンズの光軸方向に第２のレンズ群と一体的に移動してその撮影レンズを通過する被写体の光量を制御する光量制御部材を備え、その光量制御部材は、その第２レンズ群と一体的に、繰出時には撮影レンズ光軸上に進出するとともに沈胴時には退避位置に退避するものであってもよい。
【００２１】
また、上記目的を達成する本発明のレンズ鏡胴のうちの第１のレンズ鏡胴は、光軸方向前方から順に、第１のレンズ群、第２のレンズ群、および第３のレンズ群の３群からなる焦点距離可変な撮影レンズを収容し、繰出し、沈胴が自在であって繰出時に焦点距離調節を行なうレンズ鏡胴において、
繰出し、沈胴に伴って回転する筒と、
第２のレンズ群を保持しその第２のレンズ群を保持したままその第２のレンズ群を、撮影レンズ光軸上の進出位置とその撮影レンズ光軸から外れた退避位置との間で移動させるとともに、その第２のレンズ群を進出位置に進出させる向きに付勢された第２のレンズ群保持枠とを備え、
その第２のレンズ群保持枠は、沈胴時の上記筒の回転から動力を受けて第２のレンズ群を退避位置に退避させる筒とを備えたことを特徴とする。
【００２２】
ここで、上記第１のレンズ鏡胴において、繰出し、沈胴に伴って光軸方向に移動し第２のレンズ群の光軸方向に関する位置を定める第２のレンズ群ガイド枠を備え、上記第２のレンズ群保持枠は、第２のレンズ群ガイド枠に軸支されたものであって、
上記筒が、沈胴時の回動により第２のレンズ群ガイド枠に接して第２のレンズ群保持枠の旋回に作用を及ぼす旋回作用部を有すると共に、
第２のレンズ群保持枠が、沈胴時に旋回作用部の作用を受けて第２のレンズ群を退避位置に旋回させる作用受け部を有するものであることが好ましい。
【００２３】
また、上記第１のレンズ鏡胴において、上記第２のレンズ群保持枠が、繰出し時には、上記旋回作用部の作用から解放されることにより上記第２のレンズ群を撮影レンズ光軸上に進出させるものであることを特徴とするが好ましい。
【００２４】
また、上記旋回作用部は、上記筒の上記光軸方向後端に設けられた突起であり、
上記作用受け部は、沈胴時に、回動するその突起の側面で押されることにより上記第２のレンズ群を上記撮影レンズ光軸上から旋回して退上記避位置に退避させるものであってもよい。
【００２５】
また、上記第１のレンズ鏡胴において、上記撮影レンズの光軸方向に第２のレンズ群と一体的に移動してその撮影レンズを通過する被写体の光量を制御する光量制御部材を備え、その光量制御部材は、その第２レンズ群と一体的に、繰出時には撮影レンズ光軸上に進出するとともに沈胴時には退避位置に退避するものである。
【００２６】
また、上記目的を達成する本発明のレンズ鏡胴のうちの第２のレンズ鏡胴は、光軸方向前方から順に、第１のレンズ群、第２のレンズ群、および第３のレンズ群の３群からなる焦点距離可変な撮影レンズを収容し、繰出し、沈胴が自在であって繰出時に焦点距離調節を行なうレンズ鏡胴において、上記第２のレンズ群を保持しその第２のレンズ群を保持したままその第２のレンズ群を、撮影レンズ光軸上の進出位置とその撮影レンズ光軸から外れた退避位置との間で移動させる第２のレンズ群保持枠と、
上記第２のレンズ群保持枠を移動させることにより、上記第２のレンズ群を、繰出時には撮影レンズ光軸上に進出させるとともに、沈胴時には退避位置に退避させる駆動源とを備えたことを特徴とする。
【００２７】
ここで、上記第２のレンズ鏡胴において、繰出し、沈胴に伴って光軸方向に移動し第２のレンズ群の光軸方向に関する位置を定める第２のレンズ群ガイド枠を備え、上記第２のレンズ群保持枠は、第２のレンズ群ガイド枠に軸支されたものであることが好ましい。
【００２８】
また、上記第２のレンズ鏡胴においても撮影レンズの光軸方向に第２のレンズ群と一体的に移動してその撮影レンズを通過する被写体の光量を制御する光量制御部材を備え、その光量制御部材は、第２レンズ群と一体的に、繰出時には撮影レンズ光軸上に進出するとともに沈胴時には退避位置に退避するものであってもよい。
【００２９】
尚、本発明の第１のレンズ鏡胴および第２のレンズ鏡胴は、いずれも、交換式レンズのようなユニット型のものであってもよく、さらには撮像素子も一体的に組み込まれたものであってもよい。
【発明の効果】
【００３０】
以上説明したように、本発明によれば、薄型化に有効なレンズ鏡胴および撮影装置が構成される。
【発明を実施するための最良の形態】
【００３１】
以下、本発明の実施形態について説明する。
【００３２】
図１、図２は、本発明の第１実施形態のデジタルカメラの外観斜視図である。
【００３３】
図１には、本実施形態のデジタルカメラ１の、ズームレンズを内蔵するレンズ鏡胴１００の沈胴状態が示されており、図２には、デジタルカメラ１の、レンズ鏡胴１００の繰り出し状態が示されている。
【００３４】
図１、図２に示すデジタルカメラ１のレンズ鏡胴１００には、後述するような３群で構成された撮影レンズが内蔵されており、それらのレンズ群を光軸方向に移動させることで焦点距離調節が行なわれるとともに、第３群のフォーカスレンズを光軸方向に移動させることによりピント調節が行なわれる。
【００３５】
図１および図２に示すデジタルカメラ１の正面上部には、補助光発光窓１２およびファインダ対物窓１３が配置されている。また、このデジタルカメラ１の上面には、シャッタボタン１４が配置されている。
【００３６】
このデジタルカメラ１の、図示しない背面には、ズーム操作スイッチが配備されており、このズーム操作スイッチの一方を押すと、押し続けている間、レンズ鏡胴１００が望遠側に繰り出し、ズーム操作スイッチの他方を押すと、押し続けている間、レンズ鏡胴１００が広角側に移動する。
【００３７】
図３は、図１，図２に示す本発明の第１実施形態のデジタルカメラの繰出し状態にあるレンズ鏡胴の、光軸方向から見て主要部品を示した模式図であり、後述する図７の断層線Ｆ−Ｆ’に沿う断面図、図４は、図３と同一の断面図上に断層線Ａ−Ａ’を示した図、図５は図３と同一の断面図上に断層線Ｄ−Ｄ’を示した図である。以下も同様に、図の繁雑さ、分かりにくさを避けるために符号を付して説明するための図と、断層線を付した図とを分けておく。図６は、図４の断層線Ａ−Ａ’に沿う、焦点距離最長のテレ端の状態を示す断面図、図７は、図６と同一断面図上に断層線Ｆ−Ｆ’を示した図、図８は、図４の断層線Ａ−Ａ’に沿う、焦点距離最短のワイド端の状態を示す断面図、図９は図５の断層線Ｄ−Ｄ’に沿う、ワイド端の状態の主要部品を示す断面図である。また、図１０は、図１〜図９に示す第１実施形態のデジタルカメラの沈胴状態にあるレンズ鏡胴を光軸方向から見て主要部品を示した模式図であり、後述する図１３の断層線Ｅ−Ｅ’に沿う断面図、図１１は、図１０と同一の断面図上に断層線Ｂ−Ｂ’および断層線Ｃ−Ｃ’を示した図、図１２は、図１１の断層線Ｃ−Ｃ’に沿う断面図、図１３は、図１２と同一断面図上に断層線Ｅ−Ｅ’を示した図、図１４は、図１１の断層線Ｂ−Ｂ’に沿う断面図である。
【００３８】
以下では、主に図６を参照するとともに、必要に応じて他の図面も合わせて参照しながら説明する。
【００３９】
図３〜図１４に示すレンズ鏡胴１００の内部空間１０１には、光軸方向前方から順に、前群レンズ１１１、後群レンズ１１２、およびフォーカスレンズ１１３の３群からなる撮影レンズ１１０が収容されている。この撮影レンズ１１０は、後群レンズ１１２が図６に示すテレ端と図８に示すワイド端との間で移動することにより焦点距離が変化し、かつフォーカスレンズ１１３が光軸方向に移動することによりピント調節が行なわれる構成となっている。
【００４０】
この内部空間前端には、撮影レンズ１１０が覗く開口１０２が形成されており、また後方は、カメラボディに固定された、あるいはカメラボディの一部を構成する壁部材１０３が配置され、内部空間１０１は、その壁部材１０３、および、後に説明する複数の筒体により、その輪郭が画定されている。
【００４１】
壁部材１０３には、ＣＣＤ撮像素子（以下、ＣＣＤと略記する）１２０が内部空間１０１に突出した状態に取り付けられている。このＣＣＤ１２０が内部空間１０１に突出した位置に配備されていることにより、そのＣＣＤ１２０の脇には、そのＣＣＤ１２０と壁部材１０３とで区画された窪み部分１０４が形成されている。
【００４２】
また、その壁部材１０３には、送りネジ１３１が回転自在に支持されており、その送りネジ１３１にはナット部材１３２が螺合し、そのナット部材１３２には、フォーカスレンズ１１３を保持するフォーカスレンズ保持枠１３３が固定されている。この送りネジ１３１は、カメラボディ側に備えられた図示しないフォーカスモータにより回転駆動され、その送りネジ１３１の回転によりフォーカスレンズ１１３が光軸方向に移動し、ＣＣＤ１２０の前面にピントの合った被写体像を写し出すようにそのフォーカスレンズ１１３の位置が調整される。
【００４３】
また、この壁部材１０３には、固定筒１４０が固定されており、その固定筒１４０の内側には回転筒１５０が備えられている。この回転筒１５０には、その外周に、柱状ギア１０５（図３参照）と噛合した歯車１５１が設けられており、その柱状ギア１０５は、図示しない鏡胴駆動モータにより回転駆動され、これにより、その回転筒１５０が回動する。また、固定筒１４０の内壁には、カム溝１４１が形成されており、回転筒１５０に固定されたカムピン１５２がそのカム溝１４１に嵌入しており、したがって、この回転筒１５０は、柱状ギア１０５を介して回転駆動力を受けると、回転しながら光軸方向に前進あるいは後退する。
【００４４】
また、この回転筒１５０の内側には、回転筒側直進キーリング１５４が、回転筒１５０に対し回転自在に、ただし回転筒１５０に対する光軸方向への相対移動不能に備えられている。さらに、その回転筒側直進キーリング１５４には、キー板１５５が固定され、そのキー板１５５が、固定筒１４０の内壁に形成された、光軸方向に延びるキー溝１４２に嵌入し、これにより、その回転筒側直進キーリング１５４は、固定筒１４０に対し光軸方向への移動は自在に回り止めされている。したがって、回転筒１５０が回転しながら光軸方向に移動すると、回転筒側直進キーリング１５４は、固定筒１４０に対し回り止めされていることから回転せずに、ただし光軸方向へは回転筒１５０とともに移動する。
【００４５】
また、回転筒１５０の内側には、回動自在な中間筒１６０が備えられている。回転筒１５０の内壁には、カム溝１５６が形成されており、さらに、回転筒側直進キーリング１５４にも、その外周と内周とに貫通したカム溝１５７が形成されており、回転筒１５０のカム溝１５６には、中間筒１６０に設けられたカムピン１６１が、回転筒側直進キーリング１５４のカム溝１５７を貫通して嵌入している。したがって、回転筒１５０が回転しながら光軸方向に移動すると、中間筒１６０も、回転筒１５０と回転筒側直進キーリング１５４のカム溝の形状に従って回転しながら、回転筒１５０に対しさらに相対的に光軸方向に移動する。
【００４６】
この中間筒１６０の内側には、中間筒側直進キーリング１６４が配備されている。先に説明した回転筒側直進キーリング１５４には直進キー１５８が形成されており、中間筒側直進キーリング１６４は、回転筒側直進キーリング１５４の直進キー１５８に嵌入している。この中間筒側直進キーリング１６４は、中間筒１６０に対し相対回転自在であり、一方、その中間筒１６０に対する光軸方向への相対移動は禁止されている。したがって、中間筒１６０が回転しながら回転筒１５０に対し相対的に光軸方向に移動すると、中間筒側直進キーリング１６４は、回転せずに、中間筒１６０の光軸方向への移動に伴って光軸方向に直進移動する。
【００４７】
この中間筒１６０の内壁には、後群ガイド枠１７０を案内するためのカム溝１６５が形成されており、このカム溝１６５には、後群ガイド枠１７０に固設されたカムピン１７１が、中間筒側直進キーリング１６４に対し回り止めされた状態で嵌入している。したがって、中間筒１６０が回転すると、後群ガイド枠１７０は、中間筒１６０内壁のカム溝１６５の形状に応じて光軸方向に直進移動する。
【００４８】
この後群ガイド枠１７０には、その光軸方向前方にシャッタユニット１７９が固定されている。このシャッタユニット１７９には、開口径を制御することにより撮影レンズ１１０を通過する被写体光量を制御する絞り部材と、シャッタ速度を制御することにより撮像レンズ１１０を通過する被写体光の光量を制御するシャッタ部材との双方が備えられている。
【００４９】
また、光軸方向後方には、後群レンズ１１２を保持する後群保持枠１７２が、回転軸１７３により、後群ガイド枠１７０に対し回動自在に軸支されている。この後群保持枠１７２の回動範囲はその後群保持枠１７２に保持された後群レンズ１１２が、撮影レンズ１１０の光軸上に進出した使用位置（図６，図８参照）と、ＣＣＤ１２０脇の窪み部分１０４に入り込む退避位置（図１２参照）との間で旋回する範囲である。また、回転軸１７３のまわりにはコイルバネ１７４が備えられており、後群保持枠１７２は、そのコイルバネ１７４により、後群レンズ１１２が撮影レンズ１１０の光軸上に旋回する方向にバネ付勢されるとともに、光軸方向にも付勢されている。
【００５０】
後群保持枠１７２が回動することによって後群レンズ１１２が旋回し窪み部分１０４に設定された退避位置に退避する機構については、後で説明する。
【００５１】
中間筒１６０には、前群レンズ１１１を保持した前群枠１８０を案内するためのもう１つのカム溝１６６が形成されており、このカム溝１６６には前群枠１８０に設けられたカムピン１８１が入り込んでいる。また、この前群枠１８０は、中間筒側直進キーリング１６４に、光軸方向への移動が自在に回わり止めされている。したがって、中間筒１６０が回転すると、前群枠１８０は、カム溝１６６の形状に応じて、その中間筒１６０に対し光軸方向に直進移動する。
【００５２】
このような機構により、図６のテレ端にあるときに、柱状ギア１０５を介して回転筒１５０に沈胴方向への回転駆動力が伝達されると、図６のテレ端の状態から図８のワイド端の状態を経由して、図１２および図１４の状態にまで沈胴し、逆に、図１２および図１４に示す沈胴状態にあるときに回転筒１５０に繰出し方向への回転駆動力が伝達されると、図１２，図１４に示す沈胴状態から図８に示すワイド端の状態にまで繰り出し、さらにワイド端の状態を経由して図６に示すテレ端の状態となる。
【００５３】
撮影を行なう際は、前述したズーム操作スイッチを操作して図６に示すテレ端と図８に示すワイド端との間で焦点距離を調節することにより、所望の撮影画角に設定する。フォーカスレンズ１１３は、ＣＣＤ１２０で得られた画像信号に基づくコントラスト検知により最高のコントラストが得られる位置にピント調節される。その後、シャッタボタンが押されると、ＣＣＤ１２０によりそのときの被写体を表わす画像信号が生成され、適切な画像処理が施された後、記録される。
【００５４】
次に、沈胴時に後群レンズ１１２を退避位置へ旋回させる機構について説明する。
【００５５】
後群レンズ１１２を保持する後群保持枠１７２は、前述したように、回転軸１７３により、後群ガイド枠１７０に回転自在に軸支され、コイルバネ１７４により後群レンズ１１２が撮影レンズ１１０の光軸上に位置する方向にバネ付勢されている。後群ガイド枠１７０には、図３，図９等に示すレバー部材１７５も、回転軸１７６により回転自在に軸支されている。後群保持枠１７２には、図３に示すようにフォーク状の係合溝１７８が設けられており、その係合溝１７８には、レバー部材１７５の一端に設けられた係合ピン１７７が入り込んでいる。
【００５６】
ここで、レンズ鏡胴１００の内部空間１０１の後面を画定する壁部材１０３には、図９に示すように、レバー部材１７５のピン１７７が設けられた方向とは反対側の端部１７５ａの沈胴方向移動軌跡内に、その内部空間１０１に突出した形状の凸部２０５が形成されており、その凸部２０５の先端側にはテーパ面２０５ａが設けられている。したがって、回転筒１５０が沈胴方向に回転すると中間筒１６０およびその中間筒１６０にカム係合された後群ガイド枠１７０も沈胴方向に移動し、レバー部材１７５の端部１７５ａが凸部２０５のテーパ面２０５ａに当たってそのテーパ面２０５ａに沿って動き、これによりそのレバー部材１７５が、図３に示す回転位置から図１０に示す回転位置に回動する。すると、そのレバー部材１７５のピン１７７が後群保持枠１７２のフォーク状の係合溝１７８に入り込んでいることから、後群保持枠１７２も回転軸１７３のまわりに回動し、後群レンズ１１２を、図３に示す光軸上の位置から、図１０に示す、光軸から外れた退避位置に退避する。この退避位置は、図１２に示すように、ＣＣＤ１２０の脇に形成された窪み部分１０４である。
【００５７】
図１２，図１４に示す沈胴状態から繰出し方向に移動すると、図９に示す、壁部材１０３から突出した凸部２０５と、レバー部材１７５との係合が外れ、後群保持枠１７２は、コイルバネ１７４の付勢により、図１０に示す状態から図３に示す状態に回動し、それにより、後群レンズ１１２は、図１０に示す退避位置から光軸上の位置（図３参照）に旋回する。
【００５８】
この第１実施形態においては、上記のとおり、沈胴時には、壁部材１０３の凸部２０５をレバー部材１７５に作用させることにより、後群レンズ１１２をＣＣＤ１２０の脇の窪み部分１０４に退避させている。その窪み部分１０４は、撮影レンズを光軸上から退避させる機構を持たずに光軸上に配置したまま沈胴する、従来の沈胴、繰出し機構を備えたデジタルカメラの場合、デッドスペースとなり勝ちであるが、本実施形態では、後群レンズ１１２を光軸から外してその窪み部分１０４に退避させているため、その窪み部分１０４が有効利用され、従来よりも一層の薄型化が実現できる。
【００５９】
図１５は、図１〜図１４に示すデジタルカメラの回路構成を示すブロック図である。
【００６０】
このデジタルカメラ１には、前述した、撮影レンズ１１０、シャッタユニット１７９、およびＣＣＤ撮像素子１２０が備えられている。撮影レンズ１１０およびシャッタユニット１７９を経由してＣＣＤ撮像素子１２０上に結像された被写体像は、ＣＣＤ撮像素子１２０により、アナログの画像信号に変換される。ここで、シャッタユニット１７９は、ＣＣＤ撮像素子１２０からアナログ信号を読み出すにあたり、光によるスミアの発生を抑えるためのものである。
【００６１】
また、ここには補助光発光部１３０が備えられており、この補助光発光部１３０は、低照度時に補助光を発光する。また、この補助光発光部１３０は、低照度以外の必要時にも発光させることができる。
【００６２】
また、このカメラ１には、アナログ信号処理部５０１と、Ａ／Ｄ部５０２と、デジタル信号処理部５０３と、テンポラリメモリ５０４と、圧縮伸長部５０５と、内蔵メモリ（またはメモリカード）５０６と、画像モニタ５０７と、駆動回路５０８とが備えられている。ＣＣＤ撮像素子１２０は、駆動回路５０８内のタイミング発生回路（図示せず）によって発生したタイミングで駆動され、アナログの画像信号を出力する。また、駆動回路５０８には、撮影レンズ１１０、シャッタユニット１７９、補助光発光部１３０等を駆動する駆動回路も含まれている。ＣＣＤ撮像素子１２０から出力されたアナログの画像信号は、アナログ信号処理部５０１でアナログ信号処理され、Ａ／Ｄ部５０２でＡ／Ｄ変換されてデジタル信号処理部５０３でデジタル信号処理される。デジタル信号処理された信号を表わすデータはテンポラリメモリ５０４に一時的に格納される。テンポラリメモリ５０４に格納されたデータは、圧縮伸長部５０５で圧縮されて内蔵メモリ（またはメモリカード）５０６に記録される。尚、撮影モードによっては、圧縮の過程を省いて内蔵メモリ５０６に直接記録してもよい。テンポラリメモリ５０４に格納されたデータは画像モニタ５０７に読み出され、これにより画像モニタ５０７に被写体の画像が表示される。
【００６３】
さらに、このカメラ１には、このカメラ１全体の制御を行なうＣＰＵ５０９と、ズーム操作スイッチ等を含む操作スイッチ群５１０と、シャッタボタン１４とが備えられており、操作スイッチ群５１０を操作して、所望の画角に設定することを含む所望の撮影状態に設定してシャッタボタン１４を押下することにより写真撮影が行なわれる。
【００６４】
次に、本発明の他の実施形態について説明する。以下に説明する各実施形態においては、その外観および概略回路構成については前述した第１実施形態における外観（図１，図２参照）および概略回路構成（図１５参照）とほぼ同一であり、多少の相違点があっても本発明の特徴部分の説明には差しつかえないため、ここでの図示および説明は省略し、レンズ鏡胴の構成に関してのみ説明する。またレンズ鏡胴の説明にあたっても、前述した第１実施形態における各構成要素と同一の作用を成す構成要素には、第１実施形態の図面（図３〜図１４）に付した符号と同一の符号を付して示し、相違点のみ説明する。
【００６５】
図１６は、本発明の第２実施形態のデジタルカメラの繰出し状態にあるレンズ鏡胴を光軸方向から見て主要部品を示した模式図であって、後述する図１８上で、その図１８に対応する前述した第１実施形態の図である図７に示す断層線Ｆ−Ｆ’と同じ断層線に沿う断面図であり、図１７は、図１６と同一の断面図上に断層線Ｄ−Ｄ’を示した図である。図１８は、図１６上での、その図１６に対応する前述した第１実施形態の図である図４に示す断層線Ａ−Ａ’と同じ断層線に沿う、焦点距離最長のテレ端の状態を示す断面図、図１９は、図１８と同じ断層線に沿う、焦点距離最短のワイド端の状態を示す断面図、図２０は図１７の断層線Ｄ−Ｄ’に沿う、ワイド端の状態の主要部品を示す断面図である。また、図２１は、図１６〜図２０に示す第２実施形態のデジタルカメラの、沈胴状態にあるレンズ鏡胴を光軸方向から見て主要部品を示した模式図であり、後述する図２２上における、その図２２に対応する前述した第１実施形態の図である図１３に示す断層線Ｅ−Ｅ’と同じ断層線に沿う断面図、図２２，図２３は、図２１上で、その図２１に対応する前述した第１実施形態の図である図１１に示す断層線Ｃ−Ｃ’，断層線Ｂ−Ｂ’とそれぞれ同じ断層線に沿って断面した構造を示す断面図である。
【００６６】
この第２実施形態の場合、前述の第１実施形態における図９に相当する図である図２０から分かるように、図９に示されている壁部材１０３から内部空間１０１に突出する凸部２０５は設けられていない。
【００６７】
それに代わり、図１６，図２０に示すように、中間筒１６０の後端縁に、後方に突出した凸部１６０ａが設けられているとともに、レバー部材１７５の一端部１７５ａが、その中間筒１６０の凸部１６０ａと係合する位置まで延びている。
【００６８】
沈胴時には、中間筒１６０は、その凸部１６０ａが図１６に示す位置から図２１に示す位置まで回動する。その回動の途中で、その凸部１６０ａの側壁１６０ｂがレバー部材１７５の端部１７５ａに当接し、レバー部材１７５を図１６に示す状態から図２１に示す状態に回動させ、これにより、後群保持枠１７２に保持された後群レンズ１１２が、図１６に示す光軸上の位置から図２１に示す退避位置に旋回する。
【００６９】
一方、図２２，図２３に示す沈胴状態から繰出し方向に移動すると、中間筒１６０の凸部１６０ａは図２１に示す位置から図１６に示す位置に回動し、その途中でその凸部１６０ａとレバー部材１７５との係合が外れ、後群レンズ１１２は、コイルバネ１７４の作用により、退避位置から光軸上の位置へと旋回する。
【００７０】
このような機構によっても、前述した第１実施形態の場合と同様に、後群レンズ１１２を光軸から外して窪み部分１０４に退避させることができる。
【００７１】
さらに、本発明の第３実施形態について説明する。第２実施形態の場合と同様、第１実施形態等との相違点についてのみ説明する。
【００７２】
図２４は、本発明の第３実施形態のデジタルカメラの繰出し状態にあるレンズ鏡胴を光軸方向から見て主要部品を示した模式図であり、後述する図２６上で、その図２６に対応する前述した第１実施形態の図である図７に示す断層線Ｆ−Ｆ’と同じ断層線に沿う断面図である。また図２５は、図２４と同一の断面図上に断層線Ｄ−Ｄ’を示した図である。さらに、図２６は、図２４上での、その図２４に対応する前述した第１実施形態の図である図４に示す断層線Ａ−Ａ’と同じ断層線に沿う、焦点距離最長のテレ端の状態を示す断面図、図２７は、図２６と同じ断層線に沿う、焦点距離最短のワイド端の状態を示す断面図、図２８は図２５の断層線Ｄ−Ｄ’に沿う、ワイド端の状態の主要部品を示す断面図である。また、図２９は、図２４〜図２８に示す第３実施形態のデジタルカメラの、沈胴状態にあるレンズ鏡胴を光軸方向から見て主要部品を示した模式図であり、後述する図３０上における、その図３０に対応する前述した第１実施形態の図である図１３に示す断層線Ｅ−Ｅ’と同じ断層線に沿う断面図、図３０，図３１は、図２９上で、その図２９に対応する前述した第１実施形態の図である図１１に示す断層線Ｃ−Ｃ’，断層線Ｂ−Ｂ’とそれぞれ同じ断層線に沿って断面した構造を示す断面図である。
【００７３】
この第３実施形態の場合、前述の第１実施形態における図９および第２実施形態における図２０に相当する図２８から分かるように、図９における壁部材１０３から突出する凸部２０５や、図２０における、中間筒１６０の後端に突出する凸部１６０ａはいずれも設けられておらず、それらと係合するレバー部材１７５も備えられていない。
【００７４】
この第３実施形態では、それに代わり、ステッピングモータ１９０と、そのステッピングモータ１９０の回転駆動力を後群保持枠１７２に伝達するための、そのステッピングモータ１９０の回転軸に固設された駆動ギア１９１、駆動力を伝達する伝達ギア１９２、および後群保持枠１７２に固設された受けギア１９３と、さらに、その後群保持枠１７２が光軸上にあることを検知するためのフォトインタラプタ１９４が備えられている。
【００７５】
後群レンズ１１２は、ステッピングモータ１９０の回転駆動力が駆動ギア１９１、伝達ギア１９２、および受けギア１９３を介して後群保持枠１７２に伝達され、その後群保持枠１７２が回転軸１７３のまわりに回動することによって、光軸上の位置と退避位置との間で旋回する。この第３実施形態でも、図２８に示すように、回転軸１７３のまわりにコイルバネ１７４が備えられており、後群レンズ１１２は、このコイルバネ１７４の付勢力により、光軸上の位置に安定的にとどまることができる。
【００７６】
この第３実施形態のように、後群保持枠１７２を回動させることにより後群レンズ１１２を旋回させる駆動源を、レンズ鏡胴の沈胴、繰出し用の駆動源とは別に設けてもよい。この第３実施形態の場合も、前述した第１実施形態および第２実施形態の場合と同様に、後群レンズ１１２を光軸から外して窪み部分１０４に退避させることができる。
【００７７】
図３２は、本発明の第４実施形態のデジタルカメラの焦点距離最長のテレ端の状態を示す、光軸に沿う断面図、図３３は、図３２と同じく第４実施形態のデジタルカメラの焦点距離最短のワイド端の状態を示す、光軸に沿う断面図、図３４は、図３２、図３３と同じ第４実施形態のデジタルカメラの沈胴状態を示す、光軸に沿う断面図である。
【００７８】
これらの図３２〜図３４は、前述した第１実施形態における、それぞれ図６、図８、図１２に対応する図であり、前述した第１実施形態との相違点は、前述した第１実施形態では、シャッタユニット１７９が後群ガイド枠１７０に固定されているのに代わり、ここに示す第４実施形態では、シャッタユニット１７９が、後群保持枠１７２に固定されている点である。このシャッタユニット１７９は、後群保持枠に固定されて後群レンズ１１２の前面に配置されている。ここでは、このシャッタユニット１７９は、液晶あるいはＰＬＺＴ（偏光板）等の電気光学素子を用いて光量を制御する方式のものであり、このシャッタユニット１７９には、開口径を制御することによりそこを通過する光量を制御する絞りと、シャッタ秒時を制御することによりそこを通過する光量を制御するシャッタとの双方が組み込まれている。
【００７９】
このシャッタユニット１７９は、後群レンズ１１２を保持する後群保持枠１７２に固定されているため、沈胴時には、図３４に示すように、後群レンズ１１２とともに窪み部分１０４に退避し、繰出し時には、図３２、図３３に示すように、後群レンズ１１２とともに光軸上に進出する。
【００８０】
沈胴、繰出しに伴う退避、進出の機構は前述した第１実施形態の場合と同一であり、ここでは重複した図示および説明は省略する。
【００８１】
図３５は、本発明の第５実施形態のデジタルカメラの焦点距離最長のテレ端の状態を示す、光軸に沿う断面図、図３６は、図３５と同じく第５実施形態のデジタルカメラの焦点距離最短のワイド端の状態を示す、光軸に沿う断面図、図３７は、図３５、図３６と同じ第５実施形態のデジタルカメラの沈胴状態を示す、光軸に沿う断面図である。
【００８２】
これらの図３５〜図３７は、前述した第２実施形態における、それぞれ図１８、図１９、図２２に対応する図であり、前述した第２実施形態との相違点は、前述した第２実施形態では、第１実施形態の場合と同じくシャッタユニット１７９が後群ガイド枠１７０に固定されているのに対し、ここに示す第５実施形態では、シャッタユニット１７９が、後群レンズ１１２の光軸方向後ろ側に配置され、後群保持枠１７２に固定されている点である。ここでは、このシャッタユニット１７９は、上述の第４実施形態の場合と同様、液晶あるいはＰＬＺＴ等の電気光学素子を用いて光量を制御する方式のものであり、このシャッタユニット１７９には、開口径を制御することによりそこを通過する光量を制御する絞りと、シャッタ秒時を制御することによりそこを通過する光量を制御するシャッタとの双方が組み込まれている。
【００８３】
このシャッタユニット１７９は、後群レンズ１１２を保持する後群保持枠１７２に固定されているため、沈胴時には、図３７に示すように、後群レンズ１１２とともに窪み部分１０４に退避し、繰出し時には、図３５、図３６に示すように、後群レンズ１１２とともに光軸上に進出する。
【００８４】
沈胴、繰出しに伴う退避、進出の機構は、前述した第２実施形態の場合と同一であり、ここでは重複した図示および説明は省略する。
【００８５】
このように、本発明では、後群レンズとともにシャッタユニットも一緒に、沈胴、繰出しに応じて退避、進出させてもよい。
【００８６】
尚、上記の第４、第５実施形態では、シャッタユニット１７９は、液晶あるいはＰＬＺＴ等の電気光学素子を用いたものである旨説明したが、後群レンズとともに退避するシャッタユニットは、必ずしも電気光学素子を用いたものである必要はなく、開口径やシャッタ速度を機械的に制御するメカニカルシャッタユニット、あるいは光軸上に所定開口のアイリスを進退させるアイリスシャッタユニットであってもよい。
【００８７】
さらに、ここでは絞りとシャッタとの双方を備えている旨説明したが、絞りとシャッタとを兼用したユニットを備えてもよい。この点、電気光学素子を用いたシャッタユニットの場合も同様であり、電気光学素子を利用した、絞りとシャッタとを兼用したユニットを備えてもよい。
【００８８】
また、第１〜第３実施形態では、シャッタユニット１７９は沈胴時に退避せずに光軸上に残っている。第１〜第３実施形態の説明ではシャッタユニット１７９の構造については触れなかったが、沈胴時に光軸上に残すシャッタユニットの場合も、電気光学素子を用いたシャッタユニットであってもよく、メカニカルシャッタユニットであっても、アイリスシャッタユニットであってもよい。また、第１、第２、および第３実施形態では、撮影レンズとして、光軸方向前方から順に、前群レンズ、後群レンズ、およびフォーカスレンズの３群で構成され、焦点距離可変であるとともに光軸方向後端のフォーカスレンズの移動によりピント調節を行なうタイプの撮影レンズを例に挙げて説明したが、本発明はフォーカスレンズが後端に位置する場合に限るものではなく、光軸上に並ぶ、第１、第２および第３のレンズ群からなり、焦点距離可変であるとともにフォーカスレンズの移動によりピント調節を行なうタイプの撮影レンズを備えたデジタルカメラ一般に適用することができる。
【００８９】
以上説明した各実施形態では、デジタルカメラの中でも静止画撮影用のデジタルカメラを念頭に置いて説明したが、動画撮影用のデジタルカメラ、あるいは静止画撮影と動画撮影との両用のデジタルカメラについても、本発明を同様に適用することができる。
【００９０】
また本発明は、デジタルカメラとして構成された機器に限られるものではなく、カメラ機能を備えた、携帯電話やＰＤＡ（Ｐｅｒｓｏｎａｌ  Ｄａｔａ  Ａｓｓｉｓｔａｎｔ）等、広義の撮影装置一般に広く適用されるものである。
【図面の簡単な説明】
【００９１】
【図１】本発明の第１実施形態のデジタルカメラの外観斜視図である。
【図２】本発明の第１実施形態のデジタルカメラの外観斜視図である。
【図３】本発明の第１実施形態のデジタルカメラの、繰出し状態にあるレンズ鏡胴を光軸方向から見て主要部品を示した模式図である。
【図４】図３と同一の断面図上に断層線Ａ−Ａ’を示した図
【図５】図３と同一の断面図上に断層線Ｄ−Ｄ’を示した図である。
【図６】図４の断層線Ａ−Ａ’に沿う、焦点距離最長のテレ端の状態を示す断面図である。
【図７】図６と同一断面図上に断層線Ｆ−Ｆ’を示した図である。
【図８】図４の断層線Ａ−Ａ’に沿う、焦点距離最短のワイド端の状態を示す断面図である。
【図９】図５の断層線Ｄ−Ｄ’に沿う、ワイド端の状態の主要部品を示す断面図である。
【図１０】第１実施形態のデジタルカメラの沈胴状態にあるレンズ鏡胴を光軸方向から見て主要部品を示した模式図である。
【図１１】図１０と同一の断面図上に断層線Ｂ−Ｂ’および断層線Ｃ−Ｃ’を示した図である。
【図１２】図１１の断層線Ｃ−Ｃ’に沿う断面図である。
【図１３】図１２と同一断面図上に断層線Ｅ−Ｅ’を示した図である。
【図１４】図１１の断層線Ｂ−Ｂ’に沿う断面図である。
【図１５】図１〜図１４に示すデジタルカメラの回路構成を示すブロック図である。
【図１６】本発明の第２実施形態のデジタルカメラの繰出し状態にあるレンズ鏡胴を光軸方向から見て主要部品を示した模式図である。
【図１７】図１６と同一の断面図上に断層線Ｄ−Ｄ’を示した図である。
【図１８】第１実施形態の図である図４に示す断層線Ａ−Ａ’と同じ断層線に沿う、焦点距離最長のテレ端の状態を示す断面図である。
【図１９】図１８と同じ断層線に沿う、焦点距離最短のワイド端の状態を示す断面図である。
【図２０】図１７の断層線Ｄ−Ｄ’に沿う、ワイド端の状態の主要部品を示す断面図である。
【図２１】第２実施形態のデジタルカメラの、沈胴状態にあるレンズ鏡胴を光軸方向から見て主要部品を示した模式図である。
【図２２】第１実施形態の図である図１１に示す断層線Ｃ−Ｃ’と同じ断層線に沿って断面した構造を示す断面図である。
【図２３】第１実施形態の図である図１１に示す断層線Ｂ−Ｂ’と同じ断層線に沿って断面した構造を示す断面図である。
【図２４】本発明の第３実施形態のデジタルカメラの繰出し状態にあるレンズ鏡胴を光軸方向から見て主要部品を示した模式図である。
【図２５】図２４と同一の断面図上に断層線Ｄ−Ｄ’を示した図である。
【図２６】第１実施形態の図である図４に示す断層線Ａ−Ａ’と同じ断層線に沿う、焦点距離最長のテレ端の状態を示す断面図である。
【図２７】図２６と同じ断層線に沿う、焦点距離最短のワイド端の状態を示す断面図である。
【図２８】図２５の断層線Ｄ−Ｄ’に沿う、ワイド端の状態の主要部品を示す断面図である。
【図２９】第３実施形態のデジタルカメラの、沈胴状態にあるレンズ鏡胴を光軸方向から見て主要部品を示した模式図である。
【図３０】第１実施形態の図である図１１に示す断層線Ｃ−Ｃ’と同じ断層線に沿って断面した構造を示す断面図である。
【図３１】第１実施形態の図である図１１に示す断層線Ｂ−Ｂ’と同じ断層線に沿って断面した構造を示す断面図である。
【図３２】本発明の第４実施形態のデジタルカメラの焦点距離最長のテレ端の状態を示す図である。
【図３３】本発明の第４実施形態のデジタルカメラの焦点距離最短のワイド端の状態を示す図である。
【図３４】第４実施形態のデジタルカメラの沈胴状態を示す、光軸に沿う断面図である。
【図３５】本発明の第５実施形態のデジタルカメラの焦点距離最長のテレ端の状態を示す、光軸に沿う断面図である。
【図３６】第５実施形態のデジタルカメラの焦点距離最短のワイド端の状態を示す、光軸に沿う断面図である。
【図３７】第５実施形態のデジタルカメラの沈胴状態を示す、光軸に沿う断面図である。
【符号の説明】
【００９２】
１  カメラ
１２  補助光発光窓
１３  ファインダ対物窓
１４  シャッタボタン
１００  レンズ鏡胴
１０１  内部空間
１０２  開口
１０３  壁部材
１０４  窪み部分
１０５  柱状ギア
１１０  撮影レンズ
１１１  前群レンズ
１１２  後群レンズ
１１３  フォーカスレンズ
１２０  ＣＣＤ撮像素子
１３１  送りネジ
１３２  ナット部材
１３３  フォーカスレンズ保持枠
１４０  固定筒
１４１  カム溝
１４２  キー溝
１５０  回転筒
１５１  歯車
１５２  カムピン
１５４  固定筒側直進キーリング
１５５  キー板
１５６  カム溝
１５７  カム溝
１６０  中間筒
１６０ａ  凸部
１６０ｂ  側壁
１６１  カムピン
１６４  中間筒側直進キーリング
１６５  カム溝
１６６  カム溝
１７０  後群ガイド枠
１７１  カムピン
１７２  後群保持枠
１７３  回転軸
１７４  コイルバネ
１７５  レバー部材
１７５ａ  端部
１７６  回転軸
１７７  係合ピン
１７８  係合溝
１７９  シャッタユニット
１８０  前群枠
１８１  カムピン
２０５  凸部
２０５ａ  テーパ面
【図１】
2005115316.tif 000003
【図２】
2005115316.tif 000004
【図３】
2005115316.tif 000005
【図４】
2005115316.tif 000006
【図５】
2005115316.tif 000007
【図６】
2005115316.tif 000008
【図７】
2005115316.tif 000009
【図８】
2005115316.tif 000010
【図９】
2005115316.tif 000011
【図１０】
2005115316.tif 000012
【図１１】
2005115316.tif 000013
【図１２】
2005115316.tif 000014
【図１３】
2005115316.tif 000015
【図１４】
2005115316.tif 000016
【図１５】
2005115316.tif 000017
【図１６】
2005115316.tif 000018
【図１７】
2005115316.tif 000019
【図１８】
2005115316.tif 000020
【図１９】
2005115316.tif 000021
【図２０】
2005115316.tif 000022
【図２１】
2005115316.tif 000023
【図２２】
2005115316.tif 000024
【図２３】
2005115316.tif 000025
【図２４】
2005115316.tif 000026
【図２５】
2005115316.tif 000027
【図２６】
2005115316.tif 000028
【図２７】
2005115316.tif 000029
【図２８】
2005115316.tif 000030
【図２９】
2005115316.tif 000031
【図３０】
2005115316.tif 000032
【図３１】
2005115316.tif 000033
【図３２】
2005115316.tif 000034
【図３３】
2005115316.tif 000035
【図３４】
2005115316.tif 000036
【図３５】
2005115316.tif 000037
【図３６】
2005115316.tif 000038
【図３７】
2005115316.tif 000039